(57)【要約】      （修正有）【課題】和紙特有の特性や機能を生かしつつ、障子紙でも襖絵風に描画できる障子紙の提供。【解決手段】障子紙１において、染料を少なくとも一回以上吹付けた後、機械によりシルクスクリーン印刷を少なくとも一回以上行い、その後に糊吹きして砂子を塗し、糊の乾燥後に砂子を掃うことで完成することを特徴とする襖絵風描画を施した障子紙である。素材となる障子紙が、ポリエステル又は塩化ビニール等からなるフィルムの一面あるいは両面に和紙等を貼着したものであることが好ましい。【選択図】図７
0003137173.tif 000002
【実用新案登録請求の範囲】
【請求項１】
障子紙において、染料を少なくとも一回以上吹付けた後、機械によりシルクスクリーン印刷を少なくとも一回以上行い、その後に糊吹きして砂子を塗し、糊の乾燥後に砂子を掃うことで完成することを特徴とする襖絵風描画を施した障子紙。
【請求項２】
障子紙において、染料を少なくとも一回以上吹付けた後、機械によりシルクスクリーン印刷を少なくとも一回以上行い、再度染料を型吹きし、その後に糊吹きして砂子を塗し、糊の乾燥後に砂子を掃うことで完成することを特徴とする襖絵風描画を施した障子紙。
【請求項３】
請求項１又は請求項２に記載の障子紙において、素材となる障子紙が、ポリエステル又は塩化ビニール等からなるフィルムの一面あるいは両面に和紙等を貼着したものであることを特徴とする襖絵風描画を施した障子紙。
【考案の詳細な説明】
【技術分野】
【０００１】
本考案は、障子紙に関し、詳しくは描画が施された障子紙に関するものである。
【背景技術】
【０００２】
障子は光を拡散し、住まいの中にやわらかな光と影を演出する美しいインテリア素材である。また、通気性と吸湿性といった日本の気候に欠かせない機能をもち、優れた断熱性もあることから、一般住宅、特に和室には欠かすことができないアイテムといえる。
【０００３】
障子の最大の魅力は、光に対する和紙の働きにあり、和紙の構造が天然繊維である薪を乱雑に積重ねた恰好に重ねてシート状にしたものであることから、繊維間に生じたスキ間や、表面の凸凹によって、障子に差し込んだ光を各方向に散乱し、どの方向から見ても均一に美しく明るく見え、室内全体を同じ明るさで、優しく包み込むといった独特の機能を果たすものである。
【０００４】
しかしながら、上記構造より、表面の凹凸等によって描画し難く、薄い和紙に描画しようとすると、滲みや皺が発生し易くなるといった問題が生じている。また、障子紙を厚くして滲みや皺の問題を解消しようとすると光の透過性が悪くなり上述した和紙特有の特性や機能が低下する。
【考案の開示】
【考案が解決しようとする課題】
【０００５】
本考案は、上記問題点に鑑み、和紙特有の特性や機能を生かしつつ、障子紙でも襖絵風に描画できる障子紙の提供を目的とする。
【課題を解決するための手段】
【０００６】
前記目的を達成するため、本考案は、染料を吹き付けした後、機械によりシルクスクリーン印刷を少なくとも一回以上行い、その後に糊吹きして砂子を塗し、乾燥後に砂子を掃うことで完成する襖絵風の描画を施した障子紙である。
【０００７】
また、本考案は、染料を吹き付けした後、機械によりシルクスクリーン印刷を少なくとも一回以上行い、再度染料を型吹きし、その後に糊吹きして砂子を塗し、乾燥後に砂子を掃うことで完成する襖絵風の描画を施した障子紙とすることもできる。
【０００８】
またさらに、本考案は、前記障子紙において、素材となる障子紙が、ポリエステル又は塩化ビニール等からなるフィルムの一面あるいは両面に和紙等を貼着したものである構成とした、襖絵風描画を施した障子紙とすることもできる。
【考案の効果】
【０００９】
本考案にかかる障子紙によれば、手作業と機械作業を組み合わせることで、和紙特有の特性や機能を生かしたまま、以下のような優れた効果を発揮する。
【００１０】
和紙のような凹凸のある薄い天然素材であっても、襖絵風の描画を施した障子紙を容易に得ることができる。
【００１１】
また、薄い和紙等であっても、滲みやしわを生ずることなく、襖絵風の描画を施した障子紙を得ることができる。
【００１２】
さらに、従来技術では提供できなかったような、豪華な障子紙を容易に提供できる。
【考案を実施するための最良の形態】
【００１３】
本考案は、障子紙１に襖絵風の描画を施したことを最大の特徴とする。以下、本考案に係る襖絵風描画を施した障子紙１の実施形態について、図面を参照しながら説明する。
【００１４】
＜第一実施形態＞
図１乃至図５は、本考案に係る襖絵風描画を施した障子紙１の第一実施形態を示す説明図である。
本実施形態における襖絵風描画を施した障子紙１は、各図面に示すように、以下の工程により完成する。
【００１５】
（ａ）まず、図１に示すように、障子紙１に染料２を吹付ける。
何ら描画が施されていない真っ新な障子紙１に対し、外輪がボヤけた染色を行うべく、本吹付けを行う。かかる染料２の吹付けは、染料吹付け用の霧吹きやスプレーガン等により、手作業で行う。また該染料２の吹付けは、一回につき一色の吹付け作業であるため、染色に係る色の数だけ、一回から数回に分けて行われる。
【００１６】
なお、使用する障子紙１については、一般的な和紙でできたものを使用すれば問題はないが、本考案では、描画に耐えうる強度等を考慮し、ポリエステル又は塩化ビニール等からなるフィルムの一面あるいは両面に和紙を貼り合わせてできた障子紙１を使用することが、強度の向上及び皺の発生等、種々の面から望ましい。なお、張り合わされる素材は、ポリエステルフィルム又は塩化ビニールフィルムに限定されるものではなく、強度性を向上するものであって貼着可能なものであれば、特に限定するものではない。
【００１７】
（ｂ）次に、図２に示すように、シルクスクリーン印刷を行う。
このシルクスクリーン印刷は、専用の印刷機械３により行う。これにより、障子紙１に対し具体的な風景等の描画が施される。かかるシルクスクリーン印刷は、一回につき一色の印刷であるため、描画に係る色の数だけ、一回から数回に分けて行われる。
【００１８】
（ｃ）図３に示すように、糊吹きを行う。
次工程における砂子５を付着させるべく、上記シルクスクリーン印刷後の障子紙１に対し、糊４を吹き付ける。かかる糊吹きは、糊吹き用の霧吹きやスプレーガン等により、手作業で行う。
【００１９】
（ｄ）図４に示すように、砂子５を塗す。
上記糊吹きにより糊４が付着した障子紙１上に、高砂箔や金箔、切廻しといった砂子５を塗す。かかる砂子５の塗しは、篩などより手作業で行う。
【００２０】
（ｅ）最後に、図５に示すように、糊４の乾燥後に砂子５を掃う。
糊４の乾燥を確認した後、上記塗された砂子５のうち余分な砂子５を掃う。糊４が付着していなかった箇所の砂子５については自然に落ちるとともに、糊４の乾燥後にハケなどによって余分な砂子５を手作業でもって掃い落す。これにより、障子紙１に対し煌びやかなアクセントが施され、本考案の第一実施形態に係る襖絵風描画を施した障子紙１が完成する。
【００２１】
以上のようにして完成した第一実施形態に係る襖絵風描画を施した障子紙１について、図７（ａ）に示す。
【００２２】
＜第二実施形態＞
次に、本考案に係る襖絵風描画を施した障子紙１の第二実施形態について説明する。図１乃至図６は、本考案に係る襖絵風描画を施した障子紙１の第二実施形態を示す説明図である。
本実施形態における襖絵風描画を施した障子紙１は、各図面に示すように、以下の工程により完成する。
【００２３】
（ａ）まず、図１に示すように、障子紙１に染料２を吹付ける。
（ｂ）次に、図２に示すように、シルクスクリーン印刷を行う。
ここまでは、上記第一実施形態と同様である。
【００２４】
（ｃ）ここで、図６に示すように、染料２の型吹きを行う。
上記シルクスクリーン印刷後の障子紙１に対し、さらに花柄その他の模様を施すべく、切抜部６ａを有する吹付け型６を用いて染料２を吹き付ける。かかる染料２の型吹きは、染料吹付け用の霧吹きやスプレーガン等により、手作業で行う。また該染料２の型吹きは、一回につき一色の吹付け作業であるため、染色に係る色の数だけ、一回から数回に分けて行われる。さらに場合によっては、施す模様の種類によっても数回に分けて行われる。
【００２５】
（ｄ）図３に示すように、糊吹きを行う。
（ｅ）図４に示すように、砂子５を塗す。
（ｆ）最後に、図５に示すように、糊４の乾燥後に砂子５を掃う。
これらも上記第一実施形態と同様である。
【００２６】
以上のようにして完成した第二実施形態に係る襖絵風描画を施した障子紙１について、図７（ｂ）に示す。
【図面の簡単な説明】
【００２７】
【図１】本考案に係る襖絵風描画を施した障子紙の加工工程を示す説明図である。
【図２】本考案に係る襖絵風描画を施した障子紙の加工工程を示す説明図である。
【図３】本考案に係る襖絵風描画を施した障子紙の加工工程を示す説明図である。
【図４】本考案に係る襖絵風描画を施した障子紙の加工工程を示す説明図である。
【図５】本考案に係る襖絵風描画を施した障子紙の加工工程を示す説明図である。
【図６】本考案に係る襖絵風描画を施した障子紙の加工工程を示す説明図である。
【図７】本考案に係る襖絵風描画を施した障子紙を示す正面図である。
【符号の説明】
【００２８】
１    障子紙
２    染料
３    印刷機械
４    糊
５    砂子
６    吹付け型
６ａ  切抜部
【図１】
0003137173.tif 000003
【図２】
0003137173.tif 000004
【図３】
0003137173.tif 000005
【図４】
0003137173.tif 000006
【図５】
0003137173.tif 000007
【図６】
0003137173.tif 000008
【図７】
0003137173.tif 000009